(57)【要約】【課題】  プリンタ装置に適用しても接着層がプリンタ装置内部に貼着したりすることがないだけでなく、保護シールが接着剤層から剥離したり、剥離した保護シールがプリンタ装置内で変形したりすることがないプリンタ用単葉封筒を提供する。【解決手段】  開口部３に臨む表裏のシート１、２の一方のシート２の縁部２ａに設けられ、他方のシート１に接着されることにより開口部３を封緘可能な封緘片４と、封緘片４に設けられ、封緘片４と他方のシート１とを接着する接着剤層５と、この封緘片４の接着剤層５を覆って保護する保護シール６と、開口部３に臨む他方のシート１の縁部１ａに、封緘片４に対向するように設けられ、封緘片４の保護シール６を覆う保護舌片７とを備えた。【選択図】      図１
0003106128.tif 000002
【実用新案登録請求の範囲】
【請求項１】
プリンタに給紙され、少なくとも表裏のいずれかの面に印刷が施されるプリンタ用単葉封筒であって、
表裏に配設されたシートと、
この表裏のシートの縁部に形成される開口部と、
この開口部に臨む表裏のシートの一方のシートの縁部に設けられ、他方のシートに接着されることにより開口部を封緘可能な封緘片と、
上記封緘片に設けられ、封緘片と他方のシートとを接着する接着剤層と、
この封緘片の接着剤層を覆って保護する保護シールと、
上記開口部に臨む他方のシートの縁部に、封緘片に対向するように設けられ、封緘片の保護シールを覆う保護舌片と、
を備えたことを特徴とするプリンタ用単葉封筒。
【請求項２】
上記保護舌片は、封緘片と概ね同じ形状に形成されていることを特徴とする請求項１に記載のプリンタ用単葉封筒。
【請求項３】
上記保護舌片は、基部に裂開部を有し、
この裂開部が破断されて接着剤層を覆っている保護シールが露出可能になっていることを特徴とする請求項１または請求項２のいずれかに記載のプリンタ用単葉封筒。
【請求項４】
上記保護舌片は、折り返し可能な折曲部を有し、
この折曲部に沿って保護舌片が折り返されて接着剤層が露出可能になっていることを特徴とする請求項１または請求項２のいずれかに記載のプリンタ用単葉封筒。
【考案の詳細な説明】
【技術分野】
【０００１】
本考案は、プリンタに給紙され、少なくとも表裏のいずれかの面に印刷が施されるプリンタ用単葉封筒に関するものである。
【背景技術】
【０００２】
一般に、手紙や書類を収納する封筒は、開口部に臨む一方のシートの縁部に、舌状の封緘片を備えており、封緘片と他方のシートとを糊付けして開口部が封緘されるようになっている。
【０００３】
最近では、糊を用意することなく、より簡単に封筒を封緘するために、封緘片に接着剤層を設けるとともに、この接着剤層を覆って保護する保護シールを備えたものが種々提案されている。そして、このような封筒では、一般に封緘に際して保護シールを取り除き、接着剤層を露出させて封緘片を他方のシートに接着している。
【０００４】
例えば、実用新案文献１には、口部の封紙の内面と封筒の口部裏面との両方にそれぞれ特殊糊を塗布するとともに、一方の口部の内側に保護シールとして封紙とほぼ同形の覆片を設け、また、この覆片のほぼ中心に切り取り線を設けるようにして特殊糊を露出可能にした封筒の構造が開示されている。
【特許文献１】実願昭３０−２１４７０号公報
【考案の開示】
【考案が解決しようとする課題】
【０００５】
しかしながら、上述の封筒では、プリンタに給紙して、表裏のいずれかの面に印刷を施そうとすると、覆片が設けられていない特殊糊の部分でプリンタ装置内部に貼着してしまったり、保護シールである覆片が接着剤層から剥離して剥離した保護シールがプリンタ装置内で変形したりするという不具合が予想される。
【０００６】
本考案は上記不具合に鑑みてなされたものであり、プリンタ装置に適用しても接着層がプリンタ装置内部に貼着したりすることがないだけでなく、保護シールが接着剤層から剥離したり、剥離した保護シールがプリンタ装置内で変形したりすることがないプリンタ用単葉封筒を提供することを課題としている。
【課題を解決するための手段】
【０００７】
上記課題を解決するための本考案は、プリンタに給紙され、少なくとも表裏のいずれかの面に印刷が施されるプリンタ用単葉封筒であって、表裏に配設されたシートと、この表裏のシートの縁部に形成される開口部と、この開口部に臨む表裏のシートの一方のシートの縁部に設けられ、他方のシートに接着されることにより開口部を封緘可能な封緘片と、上記封緘片に設けられ、封緘片と他方のシートとを接着する接着剤層と、この封緘片の接着剤層を覆って保護する保護シールと、上記開口部に臨む他方のシートの縁部に、封緘片に対向するように設けられ、封緘片の保護シールを覆う保護舌片とを備えたことを特徴とするプリンタ用単葉封筒である。
【０００８】
本考案によれば、封緘片に対向するように設けられた保護舌片が、封緘片の接着剤層に設けられた保護シールを覆って保護するので、プリンタ装置に適用しても、接着層がプリンタ装置内部に貼着したりすることがないだけでなく、保護シールが接着剤層から剥離したり、剥離した保護シールがプリンタ装置内で変形したりすることがない。
【０００９】
ここで、上記保護舌片は、封緘片と概ね同じ形状に形成されていることが好ましい。
【００１０】
このようにすれば、保護舌片が封緘片と概ね同じ形状に形成され、保護舌片と封緘片との縁部が互いに揃っているので、互いに補強しあって、プリンタ装置に適用しても、一方がめくれたり変形したりすることを防止することができる。
【００１１】
また、上記保護舌片は、基部に裂開部を有し、この裂開部が破断されて接着剤層を覆っている保護シールが露出可能になっていることが好ましい。
【００１２】
このようにすれば、封筒を封緘しようとする際に、保護舌片の基部に設けられた裂開部を破断するという簡単な操作により、接着剤層を覆っている保護シールを露出させて封緘片を他方のシートに接着することができるようになる。
【００１３】
あるいは、上記保護舌片は、折り返し可能な折曲部を有し、この折曲部に沿って保護舌片が折り返されて接着剤層が露出可能になっていることが好ましい。
【００１４】
このようにすれば、封筒を封緘しようとする際に、保護舌片に設けられた折曲部に沿って保護舌片を折り返すという簡単な操作により、接着剤層を覆っている保護シールを露出させて封緘片を他方のシートに接着することができるようになる。
【考案の効果】
【００１５】
以上説明したように、本考案によれば、プリンタ装置に適用しても接着層がプリンタ装置内部に貼着したりすることがないだけでなく、保護シールが接着剤層から剥離したり、剥離した保護シールがプリンタ装置内で変形したりすることがないプリンタ用単葉封筒を実現することができるという顕著な効果を奏する。
【考案を実施するための最良の形態】
【００１６】
以下、添付図面を参照しながら本考案の好ましい実施の形態について詳述する。図１は、本考案の第１の実施の形態に係るプリンタ用単葉封筒１０の構成を示す斜視図であり、図２は、第１の実施の形態に係るプリンタ用単葉封筒１０の構成を示す正面図である。また、図３は、第１の実施の形態に係るプリンタ用単葉封筒１０の構成を示す断面図である。
【００１７】
本考案の第１の実施の形態に係るプリンタ用単葉封筒１０は、インクジェットプリンタ、レーザープリンタ、バブルドットプリンタなどのプリンタに給紙され、少なくとも表裏のいずれかの面に宛先や送り先の住所等の印刷が施される封筒であって、図１に示すように、表裏に配設されたシート１、２と、この表裏のシート１、２の縁部１ａ、２ａに形成される開口部３と、この開口部３に臨む一方のシート２の縁部２ａに設けられ、他方のシート１に接着されることにより開口部３を封緘可能な封緘片４と、上記封緘片４に設けられ、封緘片４と他方のシート１とを接着する接着剤層５と、この封緘片４の接着剤層５を覆って保護する保護シール６と、上記開口部３に臨む他方のシート１の縁部１ａに、封緘片４に対向するように設けられ、封緘片４の保護シール６を覆う保護舌片７とを備えている。
【００１８】
上記シート１、２は、本実施形態では、プリンタによる印刷と郵送に適した略長方形の丈夫な上質紙から構成され、両側辺と底辺とにおいてそれぞれ結合され、３方向に閉じた形状に形成されている。
【００１９】
上記開口部３は、本実施形態では、表裏のシート１、２の長辺側である上部の縁部１ａ、２ａに形成される上方に開口した部分であり、この開口部３を通してプリンタ用単葉封筒１０の内部に手紙や書類を収納することができるようになっている。
【００２０】
上記封緘片４は、この開口部３に臨む表裏のシート１、２の一方のシート２の縁部２ａに設けられた舌状に形成された部分であり、他方のシート１の開口部３に臨む縁部１ａに接着されることにより開口部３を封緘することができるように構成されている。（図４（ｃ））
【００２１】
上記接着剤層５は、封緘片４の開口部３に臨む側の面に一定の幅、長さにわたって塗布された粘着性の接着剤の層であり、封緘片４と他方のシート１とを接着して開口部３を閉じるためのものである。
【００２２】
上記保護シール６は、この封緘片４の接着剤層５を覆って保護するための長方形の紙片であり、接着剤層５側の面には図示しないが接着剤からの剥離を容易にするために、合成樹脂材などでコーティングが施されている。
【００２３】
上記保護舌片７は、開口部３に臨む他方のシート１の縁部１ａに、封緘片４に対向するようにシート１から延設された舌状の部分であり、封緘片４の保護シール６を覆っている。この保護舌片７は、封緘片４と概ね同じ形状に形成されており、また、基部に裂開部７ａを有している。この裂開部７ａが破断されると接着剤層５を覆っている保護シール６が露出し、保護シール６を接着剤層５から剥離することが容易にできるようになっている。
【００２４】
次に、図３と、図４とを参照して、本考案の第１の実施の形態に係るプリンタ用単葉封筒１０の作用について説明する。
【００２５】
図３は、保護舌片７がシート１から切り取られる前の状態、すなわち保護舌片７の裂開部７ａが破断される前の状態を示している。この状態では、このプリンタ用単葉封筒１０は、保護舌片７が保護シール６を覆っているので、プリンタに単葉で供給して表裏のシート１、２の外面に印刷を施すことができる。
【００２６】
図４は、本考案の第１の実施の形態に係るプリンタ用単葉封筒１０を封緘する要領を示す断面図であり、（ａ）は、保護舌片７の裂開部７ａが破断されて保護舌片７がシート１から切り取られた状態を示している。この状態では、開口部３から内部に手紙８を収納することが可能になっている。また、接着剤層５の保護シール６を剥離させて接着剤層５を露出させることができるようになっている。
【００２７】
（ｂ）は、接着剤層５の保護シール６が剥離されて接着剤層５が露出した状態を示している。この状態では、封緘片４をシート１に接着することが可能になっている。
【００２８】
（ｃ）は、封緘片４が、他方のシート１の開口部３に臨む縁部１ａに接着されることにより開口部３が封緘された状態を示している。この書類を収容した状態で、このプリンタ用単葉封筒１０は、郵送に供することができるようになる。
【００２９】
以上説明したように、本考案の第１の実施の形態に係るプリンタ用単葉封筒１０によれば、封緘片４に対向するように設けられた保護舌片７が、封緘片４の接着剤層５に設けられた保護シール６を覆って保護するので、プリンタ装置に適用しても、保護シール６が接着剤層５から剥離したり、剥離した保護シール６がプリンタプリンタ装置内で変形したりすることがない。
【００３０】
また、保護舌片７が封緘片４と概ね同じ形状に形成され、保護舌片７と封緘片４との縁部が互いに揃っているので、互いに補強しあって、プリンタ装置に適用しても、一方がめくれたり変形したりすることを防止することができる。
【００３１】
また、封筒を封緘しようとする際に、保護舌片７の基部に設けられた裂開部７ａを破断するという簡単な操作により、接着剤層５を覆っている保護シール６を露出させて封緘片４を他方のシート１に接着することができるようになる。
【００３２】
次に図５〜図６を参照して、本考案の第２の実施の形態に係るプリンタ用単葉封筒２０について説明する。
【００３３】
図５は、本考案の第２の実施の形態に係るプリンタ用単葉封筒２０の構成を示す正面図である。また、図６は、本考案の第２の実施の形態に係るプリンタ用単葉封筒２０の構成を示す断面図である。なお以下の説明では、本考案の第１の実施の形態に係るプリンタ用単葉封筒１０と同様の部材には同一の符号を付し、重複する説明を省略するものとする。
【００３４】
図５と図６とを参照して、本考案の第２の実施の形態に係るプリンタ用単葉封筒２０においては、保護舌片２７は、裂開部７ａの代わりに折り返し可能な折曲部２７ｂと２７ｃとを有し、この折曲部２７ｂ、２７ｃに沿って保護舌片２７が折り返されて接着剤層５が露出可能になっている。
【００３５】
次に、図６と、図７とを参照して、本考案の第２の実施の形態に係るプリンタ用単葉封筒２０の作用について説明する。
【００３６】
図６は、保護舌片２７の折曲部２７ｂ、２７ｃが折り曲げられる前の状態を示している。この状態では、このプリンタ用単葉封筒２０は、保護舌片２７が保護シール６を覆っているので、プリンタに単葉で供給して表裏のシート１、２の外面に印刷を施すことができる。
【００３７】
また、図７は、本考案の第２の実施の形態に係るプリンタ用単葉封筒２０を封緘する要領を示す断面図であり、（ａ）は、保護舌片２７の折曲部２７ｂ、２７ｃが折り曲げられた状態を示している。この状態では、開口部３から内部に手紙８を収納し、接着剤層５の保護シール６を剥離させて接着剤層５を露出させることができるようになっている。
【００３８】
（ｂ）は、接着剤層５の保護シール６が剥離されて接着剤層５が露出した状態を示している。この状態では、封緘片４を他方のシート１に接着することが可能になっている。
【００３９】
（ｃ）は、封緘片４が、他方のシート１の開口部３に臨む縁部１ａに接着されることにより開口部３が封緘された状態を示している。この書類を収容した状態で、このプリンタ用単葉封筒２０は、郵送に供することができるようになる。
【００４０】
このように、本考案の第２の実施の形態に係るプリンタ用単葉封筒２０によれば、封筒を封緘しようとする際に、保護舌片２７に設けられた折曲部２７ｂ、２７ｃに沿って保護舌片２７を折り返すという簡単な操作により、接着剤層５を覆っている保護シール６を露出させて封緘片４を他方のシート１、２に接着することができるようになる。
【００４１】
上述した実施の形態は本考案の好ましい具体例を例示したものに過ぎず、本考案は上述した実施の形態に限定されない。
【００４２】
例えば、本考案の実施の形態に係るプリンタ用単葉封筒１０、２０は、インクジェットプリンタ、レーザープリンタ、バブルドットプリンタなどのプリンタに給紙されるものに限定されない。インパクトドットプリンタやワードプロセッサ付属のプリンタなど、その他のプリンタにも適用可能である。
【００４３】
また、プリンタ用単葉封筒１０、２０は、手紙や書類に限らず、種々の物品に適用することができる。
【００４４】
また、シート１、２は、本実施形態では、略長方形の上質紙から構成され、両側辺と底辺とにおいてそれぞれ結合され、３方向に閉じ、長辺が開口した形状に形成されているが、プリンタによる印刷と郵送に適した丈夫な材質であれば、種々のシート状材料が採用可能である。また、長辺側が開口した形状に限らず、短辺側が開口したものであってもよい。
【００４５】
その他、本考案の実用新案請求の範囲内で種々の設計変更が可能であることはいうまでもない。
【図面の簡単な説明】
【００４６】
【図１】本考案の第１の実施の形態に係るプリンタ用単葉封筒の構成を示す斜視図である。
【図２】第１の実施の形態に係るプリンタ用単葉封筒の構成を示す正面図である。
【図３】第１の実施の形態に係るプリンタ用単葉封筒の構成を示す断面図である。
【図４】本考案の第１の実施の形態に係るプリンタ用単葉封筒を封緘する要領を示す断面図であり、（ａ）は、保護舌片の裂開部が破断されて保護舌片がシートから切り取られた状態、（ｂ）は、接着剤層の保護シールが剥離されて接着剤層が露出した状態、（ｃ）は、封緘片が、他方のシートの開口部に臨む縁部に接着されることにより開口部が封緘された状態を、それぞれ示している。
【図５】本考案の第２の実施の形態に係るプリンタ用単葉封筒の構成を示す正面図である。
【図６】本考案の第２の実施の形態に係るプリンタ用単葉封筒の構成を示す断面図である。
【図７】本考案の第２の実施の形態に係るプリンタ用単葉封筒を封緘する要領を示す断面図であり、（ａ）は、保護舌片の折曲部が折り曲げられた状態、（ｂ）は、接着剤層の保護シールが剥離されて接着剤層が露出した状態、（ｃ）は、封緘片が、他方のシートの開口部に臨む縁部に接着されることにより開口部が封緘された状態を、それぞれ示している。
【符号の説明】
【００４７】
１      一方のシート
２      他方のシート
３      開口部
４      封緘片
５      接着剤層
６      保護シール
７、２７        保護舌片
７ａ    裂開部
２７ｂ、２７ｃ  折曲部
１０、２０      プリンタ用単葉封筒
【図１】
0003106128.tif 000003
【図２】
0003106128.tif 000004
【図３】
0003106128.tif 000005
【図４】
0003106128.tif 000006
【図５】
0003106128.tif 000007
【図６】
0003106128.tif 000008
【図７】
0003106128.tif 000009